(57)【要約】  いくつかの例では、ＰＶモジュール取付けおよび支持組立品は、デッキに取付けられるベース部と、ベース部をデッキに固定するためのデッキ貫通固定具と、ＰＶモジュール取付け機器とを含む。ＰＶモジュール取付け機器は、ＰＶモジュールの縁を、これがデッキから離間した状態で、ベース部のＰＶモジュール支持面上に固定するために使用される。下面とデッキの間にフラッシングを使用してもよい。いくつかの例では、内部ＰＶ取付けおよび支持組立品を使用してＰＶモジュールフレームの内部リップ部に係合している。また、いくつかの例では、シングルが取付けられるデッキ上で使用するＰＶモジュール取付け組立品は、フラッシングと、フラッシング上に取付け可能なベース部と、ベース部に係合し、デッキに固定することで、フラッシングおよびベース部をシングル付きの支持面に固定するデッキ貫通固定具と、ベース部に固定できるＰＶモジュール取付け機器とを備えている。
2010500495.tif 000002
【特許請求の範囲】
【請求項１】
ＰＶモジュールを取付けるデッキを有するタイプの支持構造部上に使用するＰＶモジュール取付支持アッセンブリであって、
デッキに取付け可能な下面を有するベース部、
前記ベース部を前記デッキに固定するために、前記下面が前記デッキに向いた状態で前記ベース部と係合し、前記デッキ内へ到達することができるデッキ貫通固定具を備え、
前記ベース部がＰＶモジュール支持面を備えて構成され、及び、
ＰＶモジュール取付機器が前記ベース部に固定され、前記ＰＶモジュール取付機器が保持要素を備えて構成され、それによってＰＶモジュールの縁部を前記ＰＶモジュール支持面上に位置させて支持し、且つ、前記ＰＶモジュールが前記デッキから離間した状態で前記ＰＶモジュール支持面と前記保持要素との間に捉えられるように構成されたＰＶモジュール取付支持アッセンブリ。
【請求項２】
細長い前記デッキ貫通固定具がネジ山付きの固定具にて構成される、請求項１に記載のＰＶモジュール取付支持アッセンブリ。
【請求項３】
前記デッキ貫通固定具がセルフタッピングネジにて構成される、請求項１に記載のＰＶモジュール取付支持アッセンブリ。
【請求項４】
前記ＰＶモジュール取付機器が上方に延びた細長い固定具を備える、請求項１に記載のＰＶモジュール取付支持アッセンブリ。
【請求項５】
前記保持要素が、前記細長い固定具によって前記ベース部に固定できる取付けクリップを備えている、請求項４に記載のＰＶモジュール取付支持アッセンブリ。
【請求項６】
前記保持要素が、ＰＶモジュールの縁に接して、またはそこから分離可能に配置することができる、請求項５に記載のＰＶモジュール取付支持アッセンブリ。
【請求項７】
前記ベース部が、前記細長い固定具の対向する両側に第１および第２の立ち上がり部を備え、前記第１および第２の立ち上がり部は同一のＰＶモジュールに係合することができる、請求項４に記載のＰＶモジュール取付支持アッセンブリ。
【請求項８】
前記ＰＶモジュール支持面が第１および第２ＰＶモジュール支持面を備え、これにより、近接したＰＶモジュールの近接した縁を前記第１および第２ＰＶモジュール支持面の頂部に位置決めでき、また、前記細長い固定具が前記近接した縁の間に延びた状態で、前記第１および第２ＰＶモジュール支持面によって支持される、請求項４に記載のＰＶモジュール取付支持アッセンブリ。
【請求項９】
前記デッキ貫通固定具に結合するデッキ穴密封要素をさらに備える、請求項１に記載のＰＶモジュール取付支持アッセンブリ。
【請求項１０】
前記デッキ穴密封要素が、前記ベース部と前記下面の間に密封層を備える、請求項９に記載のＰＶモジュール取付支持アッセンブリ。
【請求項１１】
前記デッキ貫通固定具が複数のネジにて構成され、前記ベース部が前記ネジが通る複数の孔を備える、請求項１に記載のＰＶモジュール取付支持アッセンブリ。
【請求項１２】
前記下面と前記デッキの間に配置できるフラッシングをさらに備えている、請求項１に記載のＰＶモジュール取付支持アッセンブリ。
【請求項１３】
ＰＶモジュール設置部であって、
デッキを有するタイプの支持構造部と、
上方および下方外周縁面を有する外周縁を有するＰＶモジュールと、
前記外周縁に沿って位置決めされ、前記ＰＶモジュールを前記デッキに固定する複数のＰＶ取付支持アッセンブリと、を備え、
前記ＰＶ取付支持アッセンブリのそれぞれが、
下方ベース面を有するベース部、
前記下方ベース面が前記デッキに向いた状態で前記ベース部に係合し、前記デッキ内に延びることで、前記ベース部を前記デッキに固定するデッキ貫通固定具、
前記下方外周縁面の下に延びこれを支持するＰＶモジュール支持面を備える前記ベース部、
前記下方ベース面から選択された距離だけ離間した上方に位置する前記ＰＶモジュール支持面、および、
前記ベース部に固定され、前記ＰＶモジュールの外周縁と接触して、前記ＰＶモジュールを、前記ＰＶモジュールの外周縁が前記デッキから離間した状態で前記デッキに固定するための保持要素を備えるＰＶモジュール取付け機器、を備えている、ＰＶモジュール設置部。
【請求項１４】
前記保持要素が前記ＰＶモジュールの前記上方外周縁面と接触する、請求項１３に記載のＰＶモジュール設置部。
【請求項１５】
前記保持要素が前記外周縁に接して、またはそこから分離して配置できる、請求項１３に記載のＰＶモジュール設置部。
【請求項１６】
前記支持構造部が、複数の離間したデッキ支持要素を前記デッキの下に備えており、前記ベース部の位置は、前記デッキ支持要素の位置とは無関係である、請求項１３に記載のＰＶモジュール設置部。
【請求項１７】
前記ＰＶモジュールが、相互に隣接する形で位置決めされた複数の隣接した外周縁部分を有する第１および第２ＰＶモジュールを備えている、請求項１３に記載のＰＶモジュール設置部。
【請求項１８】
前記ＰＶモジュール取付け機器が上方へ延びた細長い固定具を備える、請求項１７に記載のＰＶモジュール設置部。
【請求項１９】
前記保持要素が、前記細長い固定具によって前記ベース部に固定され、前記上方外周縁面に対して付勢された取付けクリップを備えている、請求項１８に記載のＰＶモジュール設置部。
【請求項２０】
前記ＰＶ取付支持アッセンブリのうち少なくとも１つの前記ＰＶモジュール支持面が、前記隣接した外周縁部分の下に位置する第１および第２ＰＶモジュール支持面を備えており、その間には前記細長い固定具が延びている、請求項１８に記載の設置部。
【請求項２１】
前記支持構造部が、前記デッキ上に取付けた上方列シングルおよび下方列シングルを備えており、前記支持構造部はさらに、
上方および下方フラッシング面と、上方および下方フラッシング縁とを有するフラッシングを備えており、前記フラッシングは、前記上方フラッシング縁が前記上方列シングルの下に配置された状態で、前記下方列シングル上に支持されており、
前記ベース部は前記フラッシング上に取付けられている、請求項１３に記載の設置部。
【請求項２２】
前記ＰＶモジュールは前記外周縁に沿って外周フレームを備えている、請求項１３に記載のアッセンブリ。
【請求項２３】
前記外周フレームが導電性フレームであり、前記保持要素が前記導電性の外周フレームと電気接触する、請求項２２に記載の設置部。
【請求項２４】
前記ＰＶモジュールが、前記外周縁には少なくとも実質的にフレームを設けておらず、前記保持要素が、前記ＰＶモジュールに応力が局所的に集中することを防止するために、表面緩衝部材を備える、請求項１３に記載の設置部。
【請求項２５】
デッキを備えたタイプの支持構造部に第１および第２ＰＶモジュールを取付ける取付け方法であって、前記方法が、
上方および下方外周縁面を有する外周縁を画定する、各々上方側部および下方側部と、縁区域とを有する第１および第２ＰＶモジュールを選択するＰＶモジュール選択工程、
前記第１および第２ＰＶモジュール用のレイアウトパターンを前記第１ＰＶモジュールの選択された縁区域が、前記第２ＰＶモジュールの選択された縁区域に近接して、しかしそこから離間して位置するように選択するレイアウトパターン選択工程、
ＰＶ取付けおよび支持組立品のそれぞれが、
下方ベース面と選択した距離で前記下方ベース面から上方に位置するＰＶモジュール支持面とを備えたベース部、
前記下方ベース面が前記デッキに向いた状態で前記ベース部と係合でき、前記デッキ内に貫通できるデッキ貫通固定具、及び、
保持要素を備え、前記ベース部に固定できるＰＶモジュール取付け機器を備える複数のＰＶ取付けおよび支持組立品を、前記レイアウトパターンに従って選択した場所に位置決めする第１位置決め工程、
さらに、前記デッキ貫通固定具を使用して、ＰＶ取付けおよび支持組立品のそれぞれを前記選択した場所に固定して、前記下方ベース面が前記デッキに向いた状態で前記ベース部に係合させ、前記デッキ内に延長させる第１固定工程、
前記第１および第２ＰＶモジュールを前記レイアウトパターン内に位置決めし、前記第１および第２ＰＶモジュールを前記ＰＶモジュール支持面上に配置する工程、
前記第１および第２ＰＶモジュールの前記上方外周縁面の上に保持要素を配置する配置工程、および
前記ＰＶモジュールの前記外周縁が前記デッキから離間した状態で前記第１および第２ＰＶモジュールを前記デッキに固定するために、前記保持要素を前記上方外周縁面に対して固定する第２固定工程、を含む取付け方法。
【請求項２６】
前記ＰＶモジュール選択工程がさらに、前記外周縁に沿ってフレームを有するＰＶモジュールを選択することを含む、請求項２５に記載の取付け方法。
【請求項２７】
前記第１位置決め工程がレイアウトツールにより実行される、請求項２５に記載の取付け方法。
【請求項２８】
前記第１位置決め工程が、上方へ延びた細長い固定具と、前記ベース部に固定できる取付けクリップを具備した保持要素とを備える前記ＰＶモジュール取付け機器を用いて実行され、
前記配置工程は、前記第１および第２ＰＶモジュールの前記選択した縁区域間に配置された前記細長い固定具のみを用いて実行される、請求項２５に記載の取付け方法。
【請求項２９】
前記第１固定工程が、前記デッキに穴を形成する前記デッキ貫通固定具を用いて実行される、請求項２５に記載の取付け方法。
【請求項３０】
前記第１固定工程が、前記デッキ貫通固定具を前記デッキの穴の中にまで到達させることを含み、さらに、前記デッキの穴を、前記デッキの穴の中の前記デッキ貫通固定具によって密封するための穴密封要素を提供することを含んでいる、請求項２５に記載の取付け方法。
【請求項３１】
前記レイアウトパターン選択工程が、前記レイアウトパターンをいずれのデッキ支持構造部とも整列させる必要なく実行される、請求項２５に記載の取付け方法。
【請求項３２】
前記ＰＶモジュール選択工程が、前記外周縁に沿って外周フレームを有する、外周フレーム付きのＰＶモジュールを選択することを含む、請求項２５に記載の取付け方法。
【請求項３３】
前記ＰＶモジュール選択工程が、外周フレーム付きのＰＶモジュールを選択することを含んでおり、前記外周フレームは電導性のフレームであり、また、前記第２固定工程が、前記保持要素が前記導電性の外周フレームと電気的に接触するように実行される、請求項３２に記載の取付け方法。
【請求項３４】
前記第２固定工程が、前記保持要素を前記上方外周縁面に対して付勢することを含んでいる、請求項２５に記載の取付け方法。
【請求項３５】
前記ＰＶモジュール選択工程が、実質的にフレームを備えていないＰＶモジュールを選択することを含み、前記ＰＶモジュールは前記外周縁において少なくとも実質的にフレームを備えておらず、また、前記第１位置決め工程が、前記ＰＶモジュールに応力が局所的に集中することを防止するために、前記保持要素と前記上方外周縁面との間に表面緩衝部材を備える前記保持要素を用いて実行される、請求項２５に記載の取付け方法。
【請求項３６】
ＰＶモジュール設置部であって、
デッキを有するタイプの支持構造部と、
外周縁と、前記外周縁の少なくとも一部の周囲に延びた上方および下方外周縁面を有する外周フレームとを有するＰＶパネルを具備したＰＶモジュールと、
前記上方外周縁面に、またはその近くに取付けられる前記ＰＶパネルと、
前記ＰＶパネルから離間し且つその下方に延出した内部リップ部を備える前記外周フレームと、
前記外周縁に沿って位置決めされ、前記ＰＶモジュールを前記デッキに固定する内部ＰＶモジュール取付支持アッセンブリと、を備え、
前記内部ＰＶモジュール取付支持アッセンブリが、
下方ベース面を有するベース部、
前記ベース部を前記デッキに固定すべく、前記下方ベース面が前記デッキに向いた状態で前記ベース部と係合し、前記デッキ内に到達したデッキ貫通固定具、
前記下方外周縁面の下に延びてこれを支持するＰＶモジュール支持面を備える前記ベース部、
前記下方ベース面から、選択した距離で上方に位置する前記ＰＶモジュール支持面、および、
前記ベース部に固定され、前記デッキから離間している前記ＰＶモジュールの外周縁を前記デッキに固定するために、前記保持要素と前記モジュール支持面との間に前記内部リップ部を捕獲する保持要素を備えるＰＶモジュール取付け機器、を備えている、ＰＶモジュール設置部。
【請求項３７】
前記保持要素が前記取付けクリップと前記ＰＶモジュール支持面間の間隙の画定をするために前記ベース部に固定された取付けクリップを備え、前記間隙は、その内部に対して内部リップ部を滑入／滑出させられる寸法になっている、請求項３６に記載の設置部。
【請求項３８】
上にシングルを取付けるデッキを有するタイプのシングル付き支持面の上に使用するＰＶモジュール取付支持アッセンブリであって、
フラッシング、
前記フラッシングに取付けられるベース部、
前記フラッシングと前記ベース部を前記シングル付き支持面に固定するために、前記ベース部と係合でき、前記デッキに固定できるデッキ貫通固定具、および、
前記ベース部に固定できるＰＶモジュール取付け機器を備える、ＰＶモジュール取付支持アッセンブリ。
【請求項３９】
前記フラッシングの上方面と前記ベース部との間に密封層をさらに備える、請求項３８に記載のＰＶモジュール取付支持アッセンブリ。
【請求項４０】
前記デッキ貫通固定具が複数のネジにて構成され、前記ベース部は前記ネジが通過する複数の穴を備えており、
前記ＰＶモジュール取付け機器が、ネジ山付き固定具を使用して前記ベース部に固定できる取付けクリップを備えている、請求項３８に記載のＰＶモジュール取付支持アッセンブリ。
【請求項４１】
前記ＰＶモジュール取付け機器が、前記取付けクリップと前記ベース部との間に、内部を前記ネジ山付き固定具が通る支柱を備えている、請求項４０に記載のＰＶモジュール取付支持アッセンブリ。
【請求項４２】
ＰＶモジュール設置部であって、
上方列シングルおよび下方列シングルが上設されたデッキを備える、傾斜したシングル付き支持面、
上方及び下方フラッシング縁を備え、前記上方フラッシング縁が前記上方列シングルの下に位置した状態で、前記下方列シングル上に支持されるフラッシング、
前記フラッシング上に支持されたベース部、
前記フラッシングを通過し、前記デッキの穴の中へ到達することで、前記フラッシングとベース板を前記シングル付き支持面に固定するためのデッキ貫通固定具、
前記デッキの穴を密封する穴密封手段、および
前記ベース部に固定できるＰＶモジュール取付け機器を備える、ＰＶモジュール設置部。
【請求項４３】
前記デッキ貫通固定具が複数のネジにて構成され、前記ベース部が、前記ネジが通る複数の穴を備える、請求項４２に記載の設置部。
【請求項４４】
前記ＰＶモジュール取付け機器が、ネジ山付き固定具を使用して前記ベース部に固定できる取付けクリップを備える、請求項４２に記載の設置部。
【請求項４５】
前記下方列シングルが下方縁を有し、前記下方フラッシング縁が前記下方列シングルの前記下方縁を越えて延びている、請求項４２に記載の設置部。
【発明の詳細な説明】
【技術分野】
【０００１】
本発明は、ＰＶモジュール取付及び支持アッセンブリ並びにその取付け方法に関する。
【０００２】
本発明は、カリフォルニア州の支援により、カリフォルニア州エネルギー委員会契約番号５００−０４−０２２の下でなされたものである。当該のエネルギー委員会は本発明に対して一定の権利を有する。
【背景技術】
【０００３】
木製デッキを用いて太陽光発電モジュール（以下、ＰＶモジュールと称する）を屋根に固定する典型的な方法は、垂直柱および側方レールを具備したラックシステムを使用するものである。垂直柱は、その中心間隔（心心）が典型的には２４インチ（６１ｃｍ）である小梁に、ラグボルト留めされることが多い。これらの（ラグボルトによる）貫通部を防水するために、通気管に用いられるものと類似した円錐形フラッシング（雨押え）が使用される。いくつかのケースではフラッシングを使用せずに、貫通部を密封材で塞いだ状態にて、「Ｌ字型」ブラケットやその他の取付け機器を、屋根材を介して直接ラグボルト留めしている。次に、側方レールを、屋根から数インチ離してフラッシング用の空隙を作りながら柱に取付ける。その後、ＰＶモジュールはそのレールに取付けられる。垂直柱と側方レールとによるアプローチを使用する理由は、典型的には、ＰＶモジュールが小梁の間隔に対して都合のよい幅に設計されておらず、全てのＰＶモジュールがデッキに直接取付け易い形状を有するものではなく、そして、ラックは一般にあらゆるＰＶモジュールに適合するように設計されている、という点にある。殆どのケースでは、フレーム付きのＰＶモジュールがこの方式で取付けられるが、しかしながら、フレームのないＰＶモジュールをラックに取付ける方法も存在する。
【先行技術文献】
【特許文献】
【０００４】
【特許文献１】米国特許出願１０／９２２、１１７号
【特許文献２】米国特許公報ＵＳ−２００５−０１２６６２１−Ａ１号
【発明の概要】
【発明が解決しようとする課題】
【０００５】
しかしながら、従来技術には以下のような課題がある。ＰＶモジュールを屋根に固定するこれ以外の方法では、屋根裏の垂木間に設置したブロッキング部材にＰＶモジュールをラグボルト留めする。しかし、別の取付け機器を使用することもできる。多くの場合、取付け機器に適合する比較的大型の穴を、屋根材に事前にドリル穿孔しておく必要がある。こうした大型の穴のサイズと、モジュールの形状のために、適切な防水が達成できたかどうかを判断することが困難な場合が多い。ブロッキング部材を使用する場合、その設置工程に屋根裏での長い作業が含まれることから、設置時間が大幅に増大するものとなる。
【０００６】
ＰＶモジュールを屋根に固定するためのさらなる方法では、側方へ延びた締め具ピンのような補助の締め具構造を設けた特別な構造のＰＶモジュールと共にしか使用できない締め具装置を使用する。
【課題を解決するための手段】
【０００７】
上記の課題を解決するためのＰＶモジュールを取付けたデッキを有するタイプの支持構造部上に使用するＰＶモジュール取付及び支持アッセンブリ（以下、ＰＶモジュール取付支持アッセンブリ、又は単にアッセンブリと称する場合がある）の一例は、ベース部と、デッキ貫通固定具（以下単に固定具とも称する）と、ＰＶモジュール取付け機器とを備えている。ベース部は、デッキに取付けるための下面を備えている。セルフタッピングネジのようなデッキ貫通固定具は、その下面がデッキに向いた状態で、ベース部と係合しデッキ内へと到達することで、ベース部をデッキに固定する。ベース部はまたＰＶモジュール支持面（以下、単にモジュール支持面、あるいは支持面と称する場合がある）を備えている。ＰＶモジュール取付け機器はベース部に固定することができる。ＰＶモジュール取付け機器は保持要素を備える。ＰＶモジュールの縁を、これがデッキから離間し、ＰＶモジュール支持面と保持要素の間に捉えられた状態で、ＰＶモジュール支持面の頂部上に位置させ、これによって支持することができる。ある例では、フラッシングを前記下面とデッキとの間に使用している。
【０００８】
ＰＶモジュール設置部の第一例は、デッキを有するタイプの支持構造部、ＰＶモジュール、及び複数のＰＶモジュール取付支持アッセンブリを備えている。ＰＶモジュールは外周縁を備えており、この外周縁は上方および下方外周縁面を備えている。ＰＶモジュール取付支持アッセンブリが外周縁に沿って位置決めされ、ＰＶモジュールがデッキに固定される。各ＰＶモジュール取付支持アッセンブリはベース部、デッキ貫通固定具、ＰＶモジュール取付機器を備える。ベース部は下方ベース面を備えている。デッキ貫通固定具は、下方ベース面がデッキに向いた状態で、ベース部と係合しデッキ内に到達することにより、ベース部をデッキに固定する。ベース部は、下方外周縁面の下まで延びてこれを支持するＰＶモジュール支持面を備えている。ＰＶモジュール支持面は、下方ベース面から選択した距離だけ上昇した場所に位置している。ＰＶモジュール取付け機器はベース部に固定されており、また、ＰＶモジュールの外周縁がデッキから離間した状態にてＰＶモジュールをデッキに固定するためにＰＶモジュールの上方外周縁面と接触する保持要素を備えている。ＰＶモジュールは、互いに隣り合った近接する複数の外周縁部分を設けた第１および第２ＰＶモジュールを備えている。いくつかの例では、支持構造部はデッキに取付けられた上方列および下方列シングル（柿板）を備えており、これらのシングル（柿板）にはフラッシングが付いている。フラッシングは上方および下方フラッシング面と、上方および下方フラッシング縁とを備えており、また、フラッシングは、その上方フラッシング縁が上方列シングル（柿板）の下に配置された状態で下方列シングル（柿板）上に支持され、フラッシング上にはベース部が取付けられている。
【０００９】
第１および第２ＰＶモジュールを、デッキを具備したタイプの支持構造部に取付ける取付け方法の例は以下のように実行される。まず、第１および第２ＰＶモジュールを選択する。各ＰＶモジュールは上方及び下方の側部、並びに縁部分を備え、これらによって外周縁が形成されており、この外周縁は上方および下方外周縁面を備えている。第１および第２ＰＶモジュールのレイアウトパターンは、選択した第１ＰＶモジュールの縁部分が、選択した第２ＰＶモジュールの縁部分に隣接して、しかしこれから離間して位置するものを選ぶ。複数のＰＶモジュール取付支持アッセンブリは、このレイアウトパターンに従って選択した場所に位置決めされる。各ＰＶモジュール取付支持アッセンブリはベース部、固定具、ＰＶモジュール取付け機器を備えている。ベース部は下方ベース面およびＰＶモジュール支持面を備えており、ＰＶモジュール支持面は、下方ベース面から選択した距離だけ上昇した位置にある。固定具は、下方ベース面がデッキに向いた状態で、ベース部と係合し、デッキ内に貫入することができる。ＰＶモジュール取付け機器はベース部に固定することができる。ＰＶモジュール取付け機器は保持要素を備えている。夫々のＰＶモジュール取付支持アッセンブリは、ベース部と係合し且つデッキ内にまで到達する固定具を用いて、下方ベース面がデッキに向いた状態で選択された位置に固定される。第１および第２ＰＶモジュールはレイアウトパターン内に位置決めされ、第１および第２ＰＶモジュールはＰＶモジュール支持面上に配置される。保持要素は、第１および第２ＰＶモジュールの上方外周縁面の上に配置される。保持要素を上方外周縁面に固定することで、第１および第２ＰＶモジュールが、ＰＶモジュールの外周縁がデッキから離間した状態でデッキに固定される。いくつかの例では、レイアウトパターンを選択する場合、レイアウトパターンはどのデッキ支持構造部とも整列しないものであって構わない。
【００１０】
ＰＶモジュール設置部の第２の例は支持構造部、ＰＶモジュール、及び内部ＰＶモジュール取付支持アッセンブリを備えている。支持構造部はデッキを備える。ＰＶモジュールは、外周縁を設けたＰＶパネルと、外周縁の少なくとも一部の周囲に延びた外周フレーム（以下単にフレームと称する場合がある）とを備えている。外周フレームは上方および下方外周縁面を備えている。ＰＶパネルは上方外周縁面に、またはその近くに取付けられている。外周フレームは、ＰＶパネルから離間し且つその下方に延出した内部リップ部を備えている。内部ＰＶモジュール取付支持アッセンブリは外周縁に沿って位置決めされ、ＰＶモジュールをデッキに固定する。このＰＶモジュール取付支持アッセンブリは以下のように構成される。デッキ貫通固定具はベース部と係合し、デッキ内に到達することにより、下方ベース面がデッキに向いた状態でベース部をデッキに固定する。ベース部は、下方外周縁面の下まで延びてこれを支持するＰＶモジュール支持面を備えている。ＰＶモジュール支持面は、下方ベース面から選択された距離だけ上昇した場所にある。ＰＶモジュール取付け機器はベース部に固定されており、また、保持要素を備えている。この保持要素は、ＰＶモジュール支持面との間に内部リップ部を捉えることで、ＰＶモジュールの外周縁がデッキから離間した状態でＰＶモジュールをデッキに固定することを容易にする。いくつかの例では、保持要素は取付けクリップを備えており、取付けクリップはベース部に固定されることで、取付けクリップとモジュール支持面の間に間隙を形成する。この間隙は、内部リップ部が間隙に対して滑入／滑出できる寸法を有する。
【００１１】
シングル（柿板）を上に取付けるデッキを設けたタイプのシングル（柿板）付き支持面の上で用いるＰＶモジュール取付けアッセンブリの一例は、フラッシング、ベース部、デッキ貫通固定具、ＰＶモジュール取付け機器を備えている。ベース部はフラッシングに取付けられる。デッキ貫通固定具をベース部と係合させ、デッキに固定することで、フラッシングとベース部をシングル（柿板）付き支持面に固定することができる。ＰＶモジュール取付け機器はベース部に固定することができる。いくつかの例では、上方フラッシング面（フラッシングの上方面）とベース部の間に密封層を使用している。
【００１２】
ＰＶモジュール設置部の第３の例は、傾斜したシングル（柿板）付き支持面、フラッシング、ベース部、デッキ貫通固定具、穴密封手段、及びＰＶモジュール取付け機器を備えている。傾斜したシングル（柿板）付き支持面は、上方列および下方列のシングル（柿板）が取付けられたデッキを備えている。フラッシングは上方および下方フラッシング縁を備えている。フラッシングは、上方のフラッシングの縁部が上方列のシングル（柿板）の下に位置した状態にて、下方列のシングル（柿板）の上に支持される。ベース部はフラッシング上に支持される。デッキ貫通固定具がフラッシングを通過してデッキの孔の中に入ることで、フラッシングとベース板がシングル（柿板）付き支持面に固定される。デッキに設けた孔を密封する手段が使用される。ＰＶモジュール取付け機器をベース部に固定することが可能である。
【００１３】
本発明の利点は、本発明が数々の従来設計型のＰＶモジュールへの使用に適していることである。ＰＶモジュールは、本発明の様々な例に使用する特別な締め具や取付け構造を備える必要はない。これに加え、モジュールのサイズは、小梁やその他のデッキを支持する構造（デッキ支持要素）の間隔に依存するものではない。典型的には、設置時には、ブロッキング部材の設置（又は不要）、または検査を行うべく、屋根裏のエリアに立ち入る必要はない。本発明のいくつかの例によれば、例えば取付けレールが不要になることで、従来の取付けシステムと比べて部品総数が大幅に減るため、結果としてコストと設置の複雑性とが低減される。加えて、いくつかの例は設置時間を大幅に短縮し、さらに経費が削減される。これに加え、いくつかの例によれば、ＰＶモジュールを、高さを非常に抑えた形で屋根や他の支持構造部に固定することが可能になる。さらに、いくつかの例では、冷却のための適切な空気流を維持しながらも、ＰＶモジュールを支持構造部とほぼ同じ高さに取付けることができるため、美観が著しく改善される。典型的には、ＰＶモジュールの下の領域はＰＶモジュールの上の領域と流体的に接続することができる。風洞試験を実施してパラメータを決定することができ、この結果、例えば、上面と下面の間の圧力が平衡になるため、様々な風力条件下でもＰＶモジュールにかかる負荷が低減する。太陽光発電（ＰＶ）モジュールにかかる風荷重については、２００４年８月１９日提出の米国特許出願１０／９２２、１１７号、「ＰＶ  Ｗｉｎｄ  Ｐｅｒｆｏｒｍａｎｃｅ  Ｅｎｈａｎｃｉｎｇ  Ｍｅｔｈｏｄｓ  ａｎｄ  Ａｐｐａｒａｔｕｓ」、２００５年６月１６日提出の米国特許公報ＵＳ−２００５−０１２６６２１−Ａ１号に詳述されている。いくつかの例では、取付け構造に締め具（取付）機能と電気接地機能を組み込むことにより、実質的に接地構造の追加を不要にすることができる。ＰＶモジュール取付支持アッセンブリのいくつかの例によれば、隣接するＰＶモジュールを比較的接近させて配置できる。これによって美観が改善されるばかりでなく、屋根や他の支持構造部の一定領域についてのエネルギー出力が増加する。デッキ貫通固定具をＰＶモジュールの下に位置決めすることにより、引上げ力が主として張力だけとなるが、これは、デッキ貫通固定具がＰＶモジュールから側方へずれた結果、固定具に張力と曲げ力の両方がかかるようになる従来の数例のＰＶモジュール締め構造とは対照的である。
【００１４】
本発明のこれ以外の特徴、態様、利点は、以降の図面、詳細な記述、請求項を検討することで明らかになる。
【図面の簡単な説明】
【００１５】
【図１】明確化の目的で１個のみのデッキ貫通固定具を示した、ＰＶモジュール取付支持アッセンブリの分解斜視図
【図２】図１のＰＶモジュール取付支持アッセンブリを組立てた状態を示す等角図
【図３】図１のクリップの部分拡大側面図
【図４】近接したＰＶアッセンブリを支持構造部のデッキに固定する様子を示す、図２のＰＶモジュール取付支持アッセンブリの拡大断面図
【図５】図１〜図４のＰＶモジュール取付支持アッセンブリを使用して相互に固定された２つの隣接したＰＶアッセンブリの簡略化した全体図
【図６】フレームなしのＰＶモジュールに係合した表面緩衝部材の使用を示す、図５と同様の図
【図７】図２のアッセンブリを支持構造部上に正確に位置決めするために使用されたレイアウトツールを示す図
【図８】図２のアッセンブリのうち２個と、図１２〜図１４の内部ＰＶモジュール取付支持アッセンブリのうち１個とを位置決めする、図７のレイアウトツールを示す図
【図９】シングル（柿板）付き支持構造部の上に位置する、図１、図２のフラッシングおよびアッセンブリの部分分解斜視図
【図１０】ＰＶモジュール取付支持アッセンブリが、下方列シングル（柿板）上に支持され、上方列シングル（柿板）の下に延びているフラッシングに固定されている図９の構造を示す図
【図１１】スペーサを伴ってＰＶアレイの外周に使用された図１、図２のアッセンブリを示す図
【図１２】内部ＰＶモジュール取付支持アッセンブリの分解斜視図
【図１３】内部ＰＶモジュール取付支持アッセンブリの等角図
【図１４】ＰＶアッセンブリのフレームの内部リップ部に固定された図１３のアッセンブリを示す断面図
【図１５】ＰＶ取付アッセンブリの一例の等角図
【図１６】クリップとベース部本体の間に支柱を使用した外周ＰＶ取付アッセンブリの一例の分解斜視図
【発明を実施するための形態】
【００１６】
以下、本発明の実施形態について詳細に説明する。以下の説明は、典型的には、特定の構造の実施形態および方法を参照するものである。開示された特定の実施形態および方法に本発明を限定することを意図したものではなく、本発明はその他の特徴、要素、方法、実施形態を用いて実施されると理解される。好ましい実施形態は、請求項によって定義された本発明の範囲を限定するためにではなく、本発明を例証するために記述されている。当業者は、以下の記述から様々な同等応用形を認識するだろう。様々な実施形態において、同様の要素は同様の参照符号で共通的に示している。
【００１７】
図１は、本発明によるＰＶモジュール取付支持アッセンブリ２の一例の分解斜視図である。ＰＶモジュール取付支持アッセンブリ２は、クリップアッセンブリ１０（ＰＶモジュール取付け機器）とベース部１４とを含む。クリップアッセンブリ１０は、ボルト１６（以下、ネジ山付き固定具、又は単にネジと称する場合がある）でベース部１４に固定されたクリップ１２（保持要素）を含む。ベース部１４は、典型的にはアルミニウムまたは他の適切な材料を押し出し成形して作ったベース本体１８を含み、密封材２０（密封層、穴密封手段、又はデッキ穴密封要素と称する場合がある）はベース本体１８の下面２２に固定される。密封材２０は、厚さ約３ｍｍのブチルテープからなっている。ベース本体１８は一対の立ち上がり部２４を設けており、この対の間には間隙２６が形成されている。間隙２６は、ベース本体１８の中央領域２８へ下方に延び、中央領域２８にはボルト１６を受容するためのネジ山付孔３０が形成されている。中央領域２８は、追加のネジ（デッキ貫通固定具）３５のための１つ以上のクリアランスホールを設けている。ベース本体１８はまた１対のフランジ３２を設けており、このフランジ３２には、ベース部１４をデッキ貫通固定具３５で屋根のような支持構造部３３のデッキ３１に固定するために用いる多数の取付孔３４が形成されている。図４を参照。ボルト１６はクリップ１２の中央開口部３６を貫通し、スペーサ４０に形成された孔３８と間隙２６を通り、ネジ山付孔３０内に入る。これに限らず、例えば間隙２６またはフランジ３４のない固体ブロックといったベース本体１８のタイプおよび形状を使用することもできる。
【００１８】
図４、図５は、ＰＶアッセンブリ５０とも呼ばれる隣接する複数のＰＶモジュール５０をベース本体１８に固定するクリップアッセンブリ１０を示す。クリップアッセンブリ１０は、隣接するＰＶアッセンブリ５０を、これらの間の間隙５８にネジ１６を挿入して係合させた形で示されている。隣接するＰＶアッセンブリの間に使用する場合、アッセンブリ２は一般に内部アッセンブリと呼ばれる。ＰＶアッセンブリ５０は、ＰＶパネル５４を支持する外周フレーム５２を含む。外周フレーム５２は、外周フレーム５２の上方外周縁面６４を押圧するクリップ１２によってベース本体１８のＰＶモジュール支持面６２に対して付勢された下方外周縁面６０を含む。ベース部１４のＰＶモジュール支持面６２と下方ベース面６７間の距離６５は、典型的には、下方外周縁面６０と支持構造部３３の間に望ましいものが選択される。支持構造部３３は、天候バリア層６６で被覆されたデッキ３１を含む。
【００１９】
一実施形態では、デッキ貫通固定具３５は、サイズが＃８〜＃１４（Ｍ４−Ｍ６）で、デッキ３１と完全に係合してこれとの間に貫通部または孔６８を作成するのに十分な長さを持ったセルフタッピングネジ３５（ネジ）である。典型的には、デッキ３１は厚さ１５／３２”（１２ｍｍ）の配向性ストランドボード（ＯＳＢ）か、厚さ１／２”（１２ｍｍ）の合板または類似の材料であり、この上にシングル（柿板）または天候バリア層６６を作成する他の材料を取付ける、形成する、または付加している。各セルフタッピングネジ３５の頭部がフランジ３２の頂面から上方へ突出しないように、フランジ３２上に穴３４を配置することが好ましい。一実施形態では、密封材２０の他にも、頭部の下に密封ワッシャを設けた全天候型ネジを使用している。いくつかの実施形態では、デッキ３１の穴を密封する例えば液体密封材のような別の手段を使用する場合には、密封材２０を省略することができる。いくつかの実施形態では、ネジ１６は寸法１／４”−２０（Ｍ６）のステンレス鋼製のネジである。ここで記述しているものに加え、様々なクリップまたはクランプ装置を使用して、ＰＶアッセンブリ５０をベース部１４に固定することができる。
【００２０】
ＰＶアッセンブリ５０は構造上の外周フレーム５２を設けているが、これはフレームのないＰＶ積層部であってもよいし、あるいは、ＰＶアッセンブリ５０を、特別な構造機能のない、ＰＶ積層の縁のみを保護する材料で囲ってもよい。この材料は非導電性であってよい。図６に、フレームのないＰＶモジュール５０の一例を示す。図６のＰＶモジュール取付支持アッセンブリ２は、主に、クリップ１２とＰＶアッセンブリ５０の上方外周縁面６４との間に表面緩衝部材７０を使用している点において図１〜図５のＰＶアッセンブリ２と異なる。このような表面緩衝部材７０に力分散板または細片を追加したり、或いはそれらと取り替えることができる。これらはクリップ１２またはＰＶアッセンブリ５０に固定するか、あるいは単純にこれらの間に配置すればよい。
【００２１】
クリップ１２は、概して中央部分４２と一対の直立アーム４４を設けたＵ字型構造であり、中央部分４２には中央開口部３６が形成されている。アーム４４と中央部分４２は挿通部４５を形成している。挿通部４５に上から挿通できるようになっているため、ネジ１６が障害なく挿通し、クリップアッセンブリ１０の使用を容易化することが可能となる。アーム４４は、下方に延びた歯部４８を設けた延長部４６を含む。図３に示すように、クリップアッセンブリ１０は、ＰＶパネル５４を包囲する導電性の外周フレーム５２を具備するタイプのＰＶアッセンブリ５０と共に使用される。図２、図３に見られるように、ボルト１６の頭部は完全に挿通部４５内の、ＰＶアッセンブリ５０の外周フレーム５２の頂面の下に位置している。これに加え、下向きの歯部４８を設けた概してＴ字構造のアーム４４によって、背の低い構造が得られる。この背の低い構造のために、よりすっきりした乱雑でない外観が得られ、また、ＰＶパネル５４が日陰になることが最小化される。
【００２２】
フレーム５２には上方の周辺に伸びた縁部５６が付いており、この縁部５６にクリップ１２の歯部４８が係合する。外周フレーム５２は、典型的には陽極酸化皮膜処理したアルミニウム製であり、非導電性の外面を備えている。さらに、外周フレーム５２に、例えば塗装処理した外面といった別タイプの非導電性の外面を設けてもよい。歯部４８が表面破壊要素として機能することで、クリップ１２と外周フレーム５２の間に優れた電気接触が確実に得られる。のこぎり状の歯、または他の構造が、外周フレーム５２上のあらゆる非導電性の材料を切り開くことにより、クリップ１２を用いて、さらにボルト１６を介して、ベース部１４との明確な電気的接続を作成する。これにより、隣接するＰＶアッセンブリ５０の外周フレーム５２の間にクリップ１２を介した優れた接地が得られる。これ以外にも、例えばクリップ１２を外周フレーム５２上でスライドさせてその一部に切り傷を付けるといった表面破壊方法や、さらに別タイプの表面破壊構造または方法を使用することも可能である。
【００２３】
図１〜図５の例では、アーム４４の各延長部分４６に３本の歯４８を使用している。各延長部分４６に多数のアーム４４の先端部を使用することで、フレーム５２に対するクリップ１２の位置をいくらか調整できるようになり、これにより設置が容易化する。歯４８は、概して各アーム４４の線状連結用の延長部４６と平行するように向いており、したがって、近接するフレーム５２に対しては垂直に向いている。
【００２４】
アーム４４は中央部分４２に対して垂直でないことが好ましい。開示した例では、図３に示すように、アーム４４は中央部分４２を超えて内方へ延び、夾角５３を形成する。この夾角５３は鋭角であり、その角度は概して８０〜８８°であり、この開示例においては約８３°である。そのため、アーム４４が負荷がかかった状態で直線化する傾向にあることによって、クリップ１２の強化が補助される。アーム４４の角度付けから得られるこれ以外の利点は、こうすることで、歯４８が外周フレーム５２とより点接触できるようになることである。これは２つの主要な理由のために行われると考えられる。第１の理由は、歯部４８が実際上は完全に尖った先端にまで狭小するのではなく、クリップ１２の厚さと同じ長さのラインまたは縁状になるためである。そのため、アーム４４を角度付けすることで、歯４８の端部はまず外周フレーム５２と係合して、線接触ではなく点接触を行う。第２の理由は、製造上の制約から、縁の歯４８の鋭利度が制限されるという事実に基づく。いくつかの例では、歯４８の縁は丸いため、アーム４４が中央部分４２に対して垂直である場合に、歯部４８が外周フレーム５２に対し概して円柱状の表面を提供する。
【００２５】
クリップ１２はまた、そのアーム４４とベース本体１８の立ち上がり部２４のＰＶモジュール支持面６２との間に、フレームを捉えて、フレーム５２をベース部１４に固定する。図３に示すように、スペーサ４０が、隣接したＰＶアッセンブリ５０が互いから適切な距離で配置されるよう補助的に機能している。スペーサ４０は、典型的にはゴム製であるか、またはこれ以外の例えば金属や厚紙を含む材料で製造されており、図３に示すように、その寸法は中央部分４２の幅よりも大きい。スペーサ４０の寸法は、気温が高い日などにＰＶアッセンブリ５０が膨張した場合に、ＰＶアッセンブリ５０が、クリップ１２と接触する前に膨張できる余裕を持つように選択される。これは、このような熱膨張の間にＰＶアッセンブリ５０がクリップ１２に直接押圧されて生じるＰＶパネル５４の損傷を防止するのに役立つ。スペーサ４０を使用することで設置が単純化し、また、ＰＶアッセンブリの設置時にこれらの間に適切な間隔を持たせるべく特別な工具を使用する必要がなくなる。クリップ１２により形成される主要な接地は、１つのＰＶアッセンブリ５０のフレーム５２からこれに隣接したＰＶアッセンブリ５０のフレーム５２までのものであるが、さらに、クリップアッセンブリ１０を使用して、ＰＶアッセンブリのフレーム５２とベース部１４の間の接地を行うことも可能である。特別に設計されたフレーム５２を要するためにここでは不適当であるが、例によっては、クリップ１２をフレーム５２に取付けたり、フレーム５２の一体部分とすることもできる。
【００２６】
典型的には、アッセンブリ２は、ＰＶアッセンブリ５０のレイアウトパターンに基づき、支持構造部３３のデッキ３１に固定される。このレイアウトパターンを選択したら、アッセンブリが１つ以上のＰＶアッセンブリ５０の縁と係合する状態で正確に位置決めされるように、アッセンブリ２をレイアウトパターンに従って選んだ場所に配置する。これは、ＰＶアッセンブリ５０を位置決め固定具として使用することで実施できるが、しかしながら、図７、図８中のレイアウトツール７２のようなレイアウトツールを補助的に使用して実行することが好ましい。レイアウトツール７２は、アッセンブリ２を適当な向きで空間を空けて正確に位置決めできるように寸法されており、また、適切に配置された複数の開口部７４を設けている（図８を参照）。レイアウトツール７２は、アッセンブリ２を２本の軸内において精密に位置決めするために補助的に機能する。いくつかの例では、アッセンブリ２を正確に配置するための案内穴または取付け穴を配置するためにレイアウトツールを使用することができる。
【００２７】
図９、図１０は、アッセンブリ２とシングル（柿板）付き支持構造部７６との間にフラッシング７８を挟んだ形で、シングル（柿板）付き支持構造部７６の頂部（シングル（柿板）付き支持面）にＰＶモジュール取付支持アッセンブリ２を取付ける様子を図示している。フラッシング７８は上方縁７９（上方フラッシング縁）と下方縁８０（下方フラッシング縁）とを備えており、上方縁７９は上方列シングル（柿板）８１の下へ延び、下方縁８０は下方列シングル（柿板）８２の下方縁８３を越えて延びている。フラッシング７８は、デッキ３１内の貫通部６８を防水するために使用されている。こうすることで、密封材２０の典型的にはエラストマ性の密封材料を塗布するための滑らかでムラのない密封面が得られるため、フラッシング７８の使用は有利である。フラッシング７８は比較的広い範囲、一例では１平方フィート（９２９ｃｍ２）を被覆し、また、支持構造部３３にしっかりと固定されているため、特に風雨による水が貫通部６８の範囲に浸入することを阻止でき、水の下方向流動が促進される。フラッシング７８を、塗膜屋根防水剤と共に使用すれば、貫通部６８をあらゆる水の浸入からさらに保護することができる。支持構造部３３の水遮蔽層が、金属屋根のような、フラッシングなしでデッキネジ貫通部の防水ができるタイプのものである場合、フラッシング７８は必要ない。例えば、金属屋根密封材２０で十分な防水性が得られる。アスファルトシングル（柿板）屋根または合成シングル（柿板）屋根に用いる場合、ベース本体１８をシングル（柿板）葺きした天候バリア層６６に直接取付けることができるが、この場合、適切な密封組成のみ、または密封組成と密封材２０を組み合わせたものでベース板とシングル（柿板）面の間の貫通部６８を密封状態にする。一例では、フラッシング７８は亜鉛でめっきした、またはＧａｌｖａｌｕｍｅ（米国商標）で被覆した鋼鉄である。フラッシング７８はあらゆる適切なシート金属材料であるか、あるいは、プラスチック、複合材料、エラストマ材料で製造することができる。フラッシング７８は現場で設置するのではなく、事前にベース部１４に取付けておくことが可能である。いくつかの例では、図示しないシム（詰め物）を使用することで、支持構造部３３の起伏を、ＰＶアッセンブリ５０がほぼ同平面をなすように修正することができる。
【００２８】
例えば、別の場合では使用されないクリップ１２の延長部４６（図１１参照）とベース部１４との間に配置されたスペーサ１００を使用することで、図１、図２のクリップアッセンブリ１０を外周部分に使用することができる。スペーサ１００は、クリップ１２が発した力をＰＶアッセンブリ５０へと真直ぐ下方向に伝播させるために、さらに、クリップ１２をＰＶアッセンブリと正しく係合した状態に保つために使用される。スペーサ１００は、高さの異なる複数のフレーム５２に適合するように構成された外周部１０２を備えている。これ以外にも高さの異なるタイプのスペーサの使用が可能であるが、こうしたスペーサにはネジ山付きスペーサ、入れ子式スペーサ、あるいは、別個のスペーサ要素を積層して構成したスペーサが含まれる。
【００２９】
図１２〜図１４は、図１、図２のクリップアッセンブリ１０の改造型として設計された内部クリップアッセンブリ１０６を設けた、内部ＰＶモジュール取付支持アッセンブリ１０４（以下、単にアッセンブリと称する場合がある）を示す。クリップアッセンブリ１０６は、クリップ１０８と、電気絶縁性の粘着テープ１１０、１１２を含んでいる。テープ１１０はベース本体１８の立ち上がり部２４に固定されて、支持面６２を被覆している。テープ１１２は、図１２、図１３に示すようにクリップ１０８に接着され、間隙２６の上に位置している。クリップ１０８と支持面６２の間に間隙１１３が形成されている。ベース本体１８上でネジ１６を緊締し、次に、フレーム５２の内部リップ部１１６をクリップ１０８とベース本体１８の間の間隙１１３内、および絶縁テープ１１０、１１２の間に滑入させて、ＰＶアッセンブリ５０をクリップアッセンブリ１０６に固定する。これは、ＰＶパネル５４と外周フレーム５２によって形成された開口領域１１８により可能となる。テープ１１０、１１２は、クリップ１０８とベース本体１８の間でリップ部１１６が確実に滑り係合するよう補助し、また、内部リップ部１１６表面の損傷を低減するよう補助する。間隙１１３のサイズ、内部リップ部１１６の厚さ、テープ１１０、１１２の厚さおよび物理特徴は、内部リップ部が、滑り係合しながら間隙１１３の内部に滑入し、ここから滑出できるように選択される。
【００３０】
この例では、内部ＰＶモジュール取付支持アッセンブリ１０４はＰＶアッセンブリ５０を適所に固定するべく働くが、必ずしも接地機能を提供するものではない。別の例では、例えばリップ部をクリップ１０８とベース本体１８の間に挿入した際に大釘が内部リップ部１１６の表面を穿刺できるようにすることで接地機能並びに取付け機能を提供するように、内部クリップアッセンブリ１０６を構成することができる。この例では、テープ１１０、１１２は電気絶縁性であるが、そうでなくてもよい。
【００３１】
内部ＰＶモジュール取付支持アッセンブリ１０４をＰＶモジュール取付支持アッセンブリ２と共に使用して、ＰＶアッセンブリ５０の１つの縁を支持構造部３３に固定するようにすることができるが、この場合、アッセンブリ２を使用して全ての縁を支持構造部に固定する場合よりも時間の節約となる。図８に、２つのアッセンブリ２と１つのアッセンブリ１０４の位置決めを示す。
【００３２】
図１５は、典型的には図９、図１０のフラッシング７８と共に使用されるＰＶ取付アッセンブリ１２０（以下単にアッセンブリと称する場合がある）を示す。ＰＶ取付アッセンブリ１２０は、上述のようなＰＶモジュール支持面６２を設けていないベース本体１２２を含む。ＰＶ取付アッセンブリ１２０では、ＰＶアッセンブリ５０を支持構造部３３の上へ上昇させることが望ましい場合には、別個の構造を使用してこれを行う。適切な密封アッセンブリ、例えば密封材２０を、ＰＶ取付アッセンブリ１２０と共に使用するか、またはＰＶ取付アッセンブリ１２０の一部として使用する。図１６は、図１５のものと類似した外周ＰＶ取付アッセンブリ１２４を示すが、図１６のＰＶ取付アッセンブリ１２４は、片側のみへ延びたアーム４４を設ける外周取付けクリップ１２６（取付クリップ）を含む。これに加え、図１６のアッセンブリ１２０は、クリップ１２６とベース本体１２２の間に支柱１２８を使用して、外周取付けクリップ１２６をＰＶアッセンブリ５０の外周縁に固定する際にＰＶ取付アッセンブリ１２１を安定させている。
【００３３】
ＰＶモジュール取付支持アッセンブリ２、１０４、ＰＶ取付アッセンブリ１２０、１２４を用いて支持できるＰＶモジュール５０のサイズは、予測される風速および露出条件、並びに支持構造部の下に位置する構造によって異なる。この開示例は、典型的には、従来技術を用いて建築した屋根および他の支持構造部３３のための、最大約１８平方フィート（１．６７ｍ２）の平面領域を設けたＰＶモジュール５０と共に使用される。これよりも広い平面領域を設けたＰＶモジュールも収容できるが、しかし、いくつかのケースでは、従来の施工指針を調整し、様々な取付け構成部品を強化する必要が生じる可能性もある。
【００３４】
これ以外に考案される本発明の実現には、ベース部１４を支持構造部３３に固定するための、別の材料から成るネジや、ネジ以外の固定具の使用が含まれる。カウンタシンク（皿座ぐり式）固定具を使用することで、フレーム５２と固定具との間の衝突を防止できる。ネジ山付孔３０と係合するネジ１６の代わりに、別タイプの固定装置、例えばネジ山付き鋲（スタッド）、摩擦ベースの接続、差込ピンやねじりロック接続、プッシュオンコネクタ、ラチェット固定具、またはこれ以外の類似装置を使用できる。ブチルテープタイプの密封材２０の代わりに、例えば以下を含む別の密封材２０用の材料を使用できる；接着剤付きゴム足、機械固定型のゴム脚、発泡テープ、スプレー泡、ブチルテープ、コルク、液体接着剤または密封材、ガスケット。ベース本体１８は、鋳造、成形、機械工作を含む様々な方法で製造することができ、また、金属、プラスチック、複合材、木材、エラストマ材料といったあらゆる適切な材料で製造できる。いくつかの例では、ベース部１４をＰＶモジュール５０に直接一体形成することにより、ベース部とモジュールを現場に出荷し、そこで一体部品として設置することが可能となる。いくつかの例では、ＰＶモジュールフレーム５２自体がベース部として機能し、屋根デッキに直接固定されるようにするために、ベース部１４を一体化することができる。モジュールフレームに一体化されたベース部を具備したＰＶモジュールは、このフレーム設計のために、モジュールが屋根に直接固定されている場合でもモジュールの下の空気の流れが促進されるように構造することが可能である。
【００３５】
設置中、ネジ山付き部材とクリップが最大規定以上の風荷重と適切な安全要因とで前負荷されるように、取付けネジ１６（ボルト）を回転させることが可能である。これにより、全ての現場条件においてしっかりとした機械的および電気的接続を得ることができ、また、各点の周囲に高圧力の接続ゾーンが作成されるために、歯４８の接地領域から湿気が排除される。
【００３６】
ネジ山付き接続部の使用が強調されてきた。しかし、別タイプの接続部、例えばラチェットタイプの接続部や、スプリングフィンガを使用した接続部を使用することも可能である。
【００３７】
上の記述では、「上」、「の下」、「頂部」、「底部」、「よりも上」、「下」等の用語を使用している。こうした用語は限定の意味ではなく、本発明の理解を補助するために使用されている。
【００３８】
上で詳述した好ましい実施形態および例を参照しながら本発明を開示したが、これらは、限定ではなく例証を目的としたものであることが理解される。当業者には改良および組み合わせが思い浮かぶであろうが、こうした改良および組み合わせは、本発明の趣旨および以下の特許請求項の範囲内に含まれるものであるとされる。上記に関連したあらゆる全ての特許、特許出願、刊行物は参考文献として本願明細書に組み込まれる。
【図１】
2010500495.tif 000003
【図２】
2010500495.tif 000004
【図３】
2010500495.tif 000005
【図４】
2010500495.tif 000006
【図５】
2010500495.tif 000007
【図６】
2010500495.tif 000008
【図７】
2010500495.tif 000009
【図８】
2010500495.tif 000010
【図９】
2010500495.tif 000011
【図１０】
2010500495.tif 000012
【図１１】
2010500495.tif 000013
【図１２】
2010500495.tif 000014
【図１３】
2010500495.tif 000015
【図１４】
2010500495.tif 000016
【図１５】
2010500495.tif 000017
【図１６】
2010500495.tif 000018
【国際調査報告】
2010500495.tif 000019